(57)【要約】      （修正有）【課題】フッ素ガス処理により水周り部材の表面を改質するにあたって、大きな処理室を必要としなくとも一度に纏めて大量にフッ素ガス処理することが可能な生産効率の良い水周り部材を提供する。【解決手段】基材と、前記基材の上に積層される前記基材より厚みが薄く形成された樹脂製の表面材と、を有する水周り部材であって、前記表面材の前記基材側に積層される面と反対側の面は、フッ素ガス処理により表面性状が改質されている水周り部材。【選択図】図１
2010077757.tif 000002
【特許請求の範囲】
【請求項１】
樹脂材料で形成された浴室用洗い場床であって、
前記浴室用洗い場床の表面は、フッ素ガス処理によって表面が改質されていることを特徴とする浴室用洗い場床。
【請求項２】
前記フッ素ガス処理によって、表面に親水基を有することを特徴とする請求項１記載の浴室用洗い場床。
【請求項３】
前記フッ素ガス処理によって、表面に撥油基を有することを特徴とする請求項１記載の浴室用洗い場床。
【発明の詳細な説明】
【技術分野】
【０００１】
本発明は、浴室用洗い場床に関する。
【背景技術】
【０００２】
従来、浴室用洗い場床の表面を親水化、撥水化、撥油化させることで防汚性や水捌け性を高めることが検討されてきた。例えば、特許文献１（特開２００４−６８３４６号公報
）では、浴室用洗い場床の表面に親水性塗料をコーティングすることで、浴室用洗い場床の表面を親水化させている。また、樹脂部材に親水性成分を練り込み、水周り部材自体に親水性を持たせる製法も開示されている。
【特許文献１】特開２００４−６８３４６号公報
【特許文献２】特開２００３−７４１７４号公報
【発明の開示】
【発明が解決しようとする課題】
【０００３】
しかしながら、コーティングにより洗い場床表面に機能性を持たせる場合、基材と、コーティング層との間に、境界面が発生するため、長期使用において境界面からコーティング層が剥離してしまい耐久性が悪いという問題があった。つまり、コーティング層が剥離されると、基材が表面に露出することとなり、機能性が激減することとなる。
【０００４】
一方、樹脂材料自体に機能性成分を練り込む場合、機能性成分は強度がない（母材の強度が低いため）ため、主成分に対して、どうしても多くを内添できないという問題があった。さらに、内添した機能性成分は、全体に分散されるため、洗い場床表面に露出する機能性成分は更に少量となる。このように、機能性成分を内添する製法においては、部材表面の性能が低いという問題があった。
【０００５】
本発明は上述の問題に鑑みてなされ、耐久性があり、且つ高い機能性を有することが可能な表面改質技術を用いた浴室用洗い場床を提供することを目的とする。
【課題を解決するための手段】
【０００６】
本発明の一態様によれば、
樹脂で形成された浴室用洗い場床であって、
前記浴室用洗い場床の表面は、フッ素ガス処理によって表面が改質されていることを特徴とする浴室用洗い場床が提供される。
【発明の効果】
【０００７】
本発明によれば、耐久性があり、高い機能性を有することが可能な表面改質技術を用いた浴室用洗い場床が提供できる。
【発明を実施するための最良の形態】
【０００８】
従来、浴室用洗い場床の表面に、機能性を付与することが広く検討されてきた。
【０００９】
ユニットバスに組み込まれる洗い場床の表面を親水化処理すると、水濡れ性が高くなるため、水玉状の大きな残水が発生することなく排水口へ排水することが可能となる。洗い場床上の残水は、水垢やカビの発生の温床となるため、洗い場床表面を親水化処理することは、これまでも広く検討されてきた。また、超親水化処理することで、通常の入浴行為で付着する皮脂汚れや、シャンプーや石鹸カスなどの油脂系成分に対して、水が油脂系成分の下に入り込むことが可能となるので、シャワーなどで水をかけるだけで汚れを浮かび上がらせて、水とともに排出することが可能となる。
【００１０】
また、浴室ユニットの洗い場床の表面を撥油化処理すると、皮脂汚れ、シャンプー、又は石鹸カスなどの油脂系成分が固着しにくくなり、水をかけるだけで汚れを洗い流すことが可能となる。
【００１１】
機能性を付与する手法としては、表面に塗料をコーティングする手法や、予め樹脂材料自体に機能性を有する成分を練り込んで製造する手法が広く知られている。
【００１２】
しかしながら、コーティングにより部材表面に機能性を持たせる場合、基材とコーティング層との間に、境界面が発生するため、長期使用において境界面からコーティング層が剥離してしまうおそれがあった。このように、コーティング層が剥離すると、基材が表面に露出することとなるため、機能性が激減することとなり、耐久性に課題がある。特に浴室の洗い場床に用いる場合は、使用者が歩いたり、風呂椅子を移動させたり、清掃する際に生じる動荷重により、剥離するおそれがある。また、カビを落とすための高塩基性の洗浄剤などの影響で、コーティング層が剥離するおそれもある。
【００１３】
一方、樹脂材料自体に機能性成分を練り込む場合、一般的に機能性成分は強度が低いため、どうしても多くを内添できないという問題がある。さらに、内添した機能性成分は、全体に分散されるため、水周り部材表面に露出する機能性成分は更に少量となる。このように、機能性成分を内添する製法においては、親水性能が低いという問題があり、性能に課題がある。
【００１４】
上述した課題を解決するために、本発明者は、表面処理されていない状態の樹脂材料から形成された洗い場床をフッ素ガス処理室に置くことで、表面性状を改質させる手法を採用した。
【００１５】
以下にフッ素ガスによる表面改質方法の概略を示す。図１に示すように、ガス処理反応室１に供給するためのフッ素ガスを生成するためには、ガス原料貯留部２に貯留された液状のＨＦ（フッ化水素）を電気分解装置から成るフッ素ガス生成装置５に供給する。フッ素ガス生成装置には、アノード（陽極）とカソード（陰極）から成る少なくとも一対の電極が設けられており、電極間に電流を流す。それぞれの電極で酸化還元反応が起き、液状のＨＦが電気分解される。具体的には、アノード側からはフッ素ガスが発生し、カソード側からは水素ガスが発生する。発生したフッ素ガスは、図示しないバッファー室などで貯留され、必要なタイミングでガス処理反応室１に供給される。一方、カソード側で発生した水素ガスは、ガスフィルター８で吸着処理される。
【００１６】
生成したフッ素ガスは、ガス処理反応室１に被処理物が置かれた後に、貯留部９に貯留された酸素ガスまたは窒素ガスなどとともに供給される。図２に示すように、ガス処理反応室１にフッ素ガスと窒素ガスが供給された場合、被処理物の表面は炭素原子に結合していた水素原子がフッ素原子に置換され、撥水性を呈するようになる。また、図３に示すように、ガス処理反応室１にフッ素ガスと酸素ガスが供給された場合、被処理物の表面は炭素原子に結合していた水素原子がフッ素原子と酸素原子に置換され、さらにフッ素原子が加水分解反応し、水酸基に置換されることで親水性を呈するようになる。
【００１７】
処理後のガス処理反応室１内に残留した残留フッ素ガスは、前述したガスフィルター８に供給され、吸着処理する。
【００１８】
上述した、フッ素ガス処理による表面改質の手法は、樹脂材料自体の表面を改質しているものであるため、コーティングのような境界面が存在しない。つまり、コーティング層が剥離することで、性能が急激に低下するようなことを防止できる。
【００１９】
また、フッ素ガスと触れている部分の表面は、全てに機能性を付与することが可能となる。つまり、樹脂材料自体に機能性成分を練り込む手法に対して、表面に高い機能性を付与することが可能となる。
【００２０】
以上の通り、フッ素ガス処理により洗い場床の表面を改質した本発明によれば、高い表面性能を付与することが可能で、且つ洗い場床という動荷重が多く加わる環境であっても、長期にわたって性能を保持することができる。
【００２１】
また、フッ素ガス処理は常温・常圧・ドライ環境で処理可能のため、被処理物を選ばず、たとえば熱に弱い熱可塑性の樹脂にも問題なく処理できる。さらにリサイクル性が高く、他の方法では表面改質しにくい、ポリオレフィン系の樹脂（ポリプロピレン、ポリエチレンなど）も改質しやすく、表面改質の経時的な安定性も高いため好ましい。
【００２２】
本発明が適用可能な水周り部材の具体例としては、上述した浴室用洗い場床の他に、浴槽・カウンター・バスエプロン・樹脂製の成型天井・収納パネルなどの浴室用部材のほか、洗面所用の樹脂製洗面ボウルやカウンタ−など、樹脂を用いて製作されるものがある。
【００２３】
また、フッ素ガス処理の際、酸素ガスおよび窒素ガスを両方供給し、それらガスの量を調整することで、表面に親水基と撥油基を混在させるようにしても良い。このようにすることで、撥油基により、非浸水時における油脂汚れの固着は撥油基で抑制でき、浸水時には親水基によって油脂汚れを水とともに洗い流すことが可能となる。
【図面の簡単な説明】
【００２４】
【図１】本発明に係る製造プロセスを示した概略図。
【図２】本発明に係る撥水化処理の化学反応式。
【図３】本発明に係る親水化処理の化学反応式。
【符号の説明】
【００２５】
１…ガス処理反応室、２…ガス原料貯留部、５…フッ素ガス生成装置、８…ガスフィルター、９…ガス貯留部、
【図１】
2010077757.tif 000003
【図２】
2010077757.tif 000004
【図３】
2010077757.tif 000005